(57)【要約】【課題】多数の視聴者から広くメタ情報を収集することができ、精度の高いメタデータをテレビ番組の視聴後に迅速に構築すること。【解決手段】本発明のメタデータ構築システムは、番組中の各番組内容に関する番組メタ情報を送信する送信手段を有する端末装置１と、複数の端末装置１から送信された番組メタ情報の内容に基づいて当該番組メタ情報の送信に対するポイントを判定するポイント判定部５４、前記ポイント判定部５４により求められたポイントを前記端末装置１のユーザ毎に管理する管理部５３、及び前記番組メタ情報に基づいて前記各番組内容に対する番組メタデータを作成するメタデータ作成部５６を有するメタデータ配信サーバ５と、を具備する。【選択図】図３
2008270853.tif 000002
【特許請求の範囲】
【請求項１】
番組中の各番組内容に関する番組メタ情報を送信する送信手段を有する端末装置と、複数の端末装置から送信された番組メタ情報の内容に基づいて当該番組メタ情報の送信に対するポイントを判定するポイント判定手段、前記ポイント判定手段により求められたポイントを前記端末装置のユーザ毎に管理する管理手段、及び前記番組メタ情報に基づいて前記各番組内容に対する番組メタデータを作成するメタデータ作成手段を有するメタデータ構築サーバと、を具備することを特徴とするメタデータ構築システム。
【請求項２】
前記ポイント判定手段は、複数の端末装置から送信された複数の番組メタ情報の内容を分析し、前記番組メタ情報の送信に対して、同一又は類似の内容を含む番組メタ情報が多いほどポイントが高くなる傾向でポイントを判定することを特徴とする請求項１記載のメタデータ構築システム。
【請求項３】
前記番組メタ情報は、内容の一つとして番組中における番組内容の切り替え時刻を含む情報であり、前記ポイント判定手段は、前記複数の番組メタ情報の番組内容の切り替え時刻の代表値を算出し、前記番組メタ情報の送信に対して、番組内容の切り替え時刻が当該代表値に近いほどポイントが高くなる傾向でポイントを判定することを特徴とする請求項２記載のメタデータ構築システム。
【請求項４】
前記番組メタ情報は、内容の一つとして番組内容に関連するキーワードを含む情報であり、前記ポイント判定手段は、前記複数の番組メタ情報のキーワードを分析し、前記番組メタ情報の送信に対して、同一又は類似のキーワードを含む番組メタ情報が多いほどポイントが高くなる傾向でポイントを判定することを特徴とする請求項２記載のメタデータ構築システム。
【請求項５】
前記メタデータ構築サーバは、同一の番組内容に対して複数の端末装置から送信された番組メタ情報の各々について受付順序を記憶し、前記ポイント判定手段は、前記番組メタ情報の送信に対して、前記受付順序が早いほどポイントが高くなる傾向でポイントを判定することを特徴とする請求項１から請求項４のいずれかに記載のメタデータ構築システム。
【請求項６】
前記メタデータ作成手段は、前記ポイント判定手段により判定されたポイントが高い番組メタ情報を優先して用いて前記番組メタデータを作成することを特徴とする請求項１から請求項５のいずれかに記載のメタデータ構築システム。
【請求項７】
前記番組メタ情報は、内容の一つとして番組中における番組内容の切り替え時刻を含む情報であり、前記メタデータ構築サーバは、前記複数の番組メタ情報の番組内容の切り替え時刻に基づいて基準時刻を算出し、当該基準時刻と番組メタ情報の番組内容の切り替え時刻との差分に基づいて当該番組メタ情報の送信元としての端末装置に対する時間オフセットを算出し、当該時間オフセットに基づいて当該端末装置から送信された番組メタ情報の番組内容の切り替え時刻を補正する補正手段を具備することを特徴とする請求項１から請求項６のいずれかに記載のメタデータ構築システム。
【請求項８】
前記メタデータ構築サーバは、作成した番組メタデータを前記端末装置に配信する配信手段を具備し、前記管理手段は、前記ユーザの端末装置に対して番組メタデータを配信したときに、前記ポイントを減算することを特徴とする請求項１から請求項７のいずれかに記載のメタデータ構築システム。
【請求項９】
複数の端末装置から送信された、番組中の各番組内容に関する番組メタ情報を受信して記憶する記憶手段と、番組メタ情報の内容に基づいて当該番組メタ情報の送信に対するポイントを判定するポイント判定手段と、前記ポイント判定手段により求められたポイントを前記端末装置のユーザ毎に管理する管理手段と、前記番組メタ情報に基づいて前記各番組内容に対する番組メタデータを作成するメタデータ作成手段と、を具備することを特徴とするメタデータ構築サーバ。
【請求項１０】
メタデータ配信サーバにおいて、複数の端末装置から送信された番組メタ情報の内容に基づいて当該番組メタ情報の送信に対するポイントを判定する工程と、前記ポイント判定により求められたポイントを前記端末装置のユーザ毎に管理する工程と、前記番組メタ情報に基づいて前記各番組内容に対する番組メタデータを作成する工程と、を具備することを特徴とするメタデータ構築方法。
【請求項１１】
前記ポイント判定においては、複数の端末装置から送信された複数の番組メタ情報の内容を分析し、前記番組メタ情報の送信に対して、同一又は類似の内容を含む番組メタ情報が多いほどポイントが高くなる傾向でポイントを判定することを特徴とする請求項１０記載のメタデータ構築方法。
【請求項１２】
前記番組メタ情報は、内容の一つとして番組中における番組内容の切り替え時刻を含む情報であり、前記ポイント判定においては、前記複数の番組メタ情報の番組内容の切り替え時刻の代表値を算出し、前記番組メタ情報の送信に対して、番組内容の切り替え時刻が当該代表値に近いほどポイントが高くなる傾向でポイントを判定することを特徴とする請求項１１記載のメタデータ構築方法。
【請求項１３】
前記番組メタ情報は、内容の一つとして番組内容に関連するキーワードを含む情報であり、前記ポイント判定においては、前記複数の番組メタ情報のキーワードを分析し、前記番組メタ情報の送信に対して、同一又は類似のキーワードを含む番組メタ情報が多いほどポイントが高くなる傾向でポイントを判定することを特徴とする請求項１１記載のメタデータ構築方法。
【請求項１４】
複数の端末装置から送信された番組メタ情報を受信する際に、同一の番組内容に対して前記複数の端末装置から送信された番組メタ情報の各々について受付順序を記憶し、前記ポイント判定において、前記番組メタ情報の送信に対して、前記受付順序が早いほどポイントが高くなる傾向でポイントを判定することを特徴とする請求項１０から請求項１３のいずれかに記載のメタデータ構築方法。
【請求項１５】
前記メタデータ作成においては、前記ポイント判定により判定されたポイントが高い番組メタ情報を優先して用いて前記番組メタデータを作成することを特徴とする請求項１０から請求項１４のいずれかに記載のメタデータ構築方法。
【請求項１６】
前記番組メタ情報は、内容の一つとして番組中における番組内容の切り替え時刻を含む情報であり、前記メタデータ構築サーバは、前記複数の番組メタ情報の番組内容の切り替え時刻に基づいて基準時刻を算出し、当該基準時刻と番組メタ情報の番組内容の切り替え時刻との差分に基づいて当該番組メタ情報の送信元としての端末装置に対する時間オフセットを算出し、当該時間オフセットに基づいて当該端末装置から送信された番組メタ情報の番組内容の切り替え時刻を補正することを特徴とする請求項１０から請求項１５のいずれかに記載のメタデータ構築方法。
【請求項１７】
前記メタデータ構築サーバが作成した番組メタデータを前記端末装置に配信する工程を具備し、前記ユーザの端末装置に対して番組メタデータを配信したときに、前記ポイントを減算することを特徴とする請求項１０から請求項１６のいずれかに記載のメタデータ構築方法。
【発明の詳細な説明】
【技術分野】
【０００１】
本発明は、テレビ番組などのメタデータを構築するメタデータ構築システム及びメタデータ構築方法に関する。
【背景技術】
【０００２】
ハードディスクビデオレコーダの普及などに伴い、テレビ番組の内容の区切りの情報やテレビ番組に関する出演者情報などを記述する番組メタデータに注目が集まっている。この番組メタデータは、メタデータ作成の専門会社において、テレビ番組毎に専門の担当者数十名が２４時間つきっきり手入力することにより作成される。そこで、番組メタデータの作成管理を行う技術が開発されている。例えば、特許文献１には、番組メタデータを作成した視聴者Ａから番組メタデータを収集しデータベースに蓄積し、番組メタデータを視聴者Ｂの要求にしたがい送信し、視聴者Ｂが評価した番組メタデータの評価データを受信し、評価データに基づいて番組メタデータの最終評価を行い、最終評価に基づいて番組メタデータを作成した視聴者Ａにインセンティブを与えることが開示されている。
【特許文献１】特開２００６−１６５６５８号公報
【発明の開示】
【発明が解決しようとする課題】
【０００３】
しかしながら、特許文献１に開示された技術によれば、視聴者Ａからの番組メタデータを視聴者Ｂが評価し、その評価に基づいてインセンティブを与えるので、番組メタデータが提供されてから多大な時間を要する。また、一方の視聴者の要求に応じて他方の視聴者が評価を行うので、多数の視聴者から広くメタ情報を収集することができず、精度が高いメタデータを作成することができないという問題がある。
【０００４】
本発明はかかる点に鑑みてなされたものであり、多数の視聴者から広くメタ情報を収集することができ、精度の高いメタデータをテレビ番組の視聴後に迅速に構築することができるメタデータ構築システム及びメタデータ構築方法を提供することを目的とする。
【課題を解決するための手段】
【０００５】
本発明のメタデータ構築システムは、番組中の各番組内容に関する番組メタ情報を送信する送信手段を有する端末装置と、複数の端末装置から送信された番組メタ情報の内容に基づいて当該番組メタ情報の送信に対するポイントを判定するポイント判定手段、前記ポイント判定手段により求められたポイントを前記端末装置のユーザ毎に管理する管理手段、及び前記番組メタ情報に基づいて前記各番組内容に対する番組メタデータを作成するメタデータ作成手段を有するメタデータ構築サーバと、を具備することを特徴とする。
【０００６】
この構成によれば、番組メタデータを活用する契約者が、テレビ番組を見ながら簡単な操作で番組メタデータの構築に参加することができ、ポイント制の導入により、契約者に自ら進んで番組メタ情報を提供させることができる。これにより、多数の視聴者から広く番組メタ情報を収集することができ、精度の高いメタデータをテレビ番組の視聴後に迅速に構築することができる。
【０００７】
本発明のメタデータ構築システムにおいては、前記ポイント判定手段は、複数の端末装置から送信された複数の番組メタ情報の内容を分析し、前記番組メタ情報の送信に対して、同一又は類似の内容を含む番組メタ情報が多いほどポイントが高くなる傾向でポイントを判定することが好ましい。
【０００８】
本発明のメタデータ構築システムにおいては、前記番組メタ情報は、内容の一つとして番組中における番組内容の切り替え時刻を含む情報であり、前記ポイント判定手段は、前記複数の番組メタ情報の番組内容の切り替え時刻の代表値を算出し、前記番組メタ情報の送信に対して、番組内容の切り替え時刻が当該代表値に近いほどポイントが高くなる傾向でポイントを判定することが好ましい。
【０００９】
本発明のメタデータ構築システムにおいては、前記番組メタ情報は、内容の一つとして番組内容に関連するキーワードを含む情報であり、前記ポイント判定手段は、前記複数の番組メタ情報のキーワードを分析し、前記番組メタ情報の送信に対して、同一又は類似のキーワードを含む番組メタ情報が多いほどポイントが高くなる傾向でポイントを判定することが好ましい。
【００１０】
本発明のメタデータ構築システムにおいては、前記メタデータ構築サーバは、同一の番組内容に対して複数の端末装置から送信された番組メタ情報の各々について受付順序を記憶し、前記ポイント判定手段は、前記番組メタ情報の送信に対して、前記受付順序が早いほどポイントが高くなる傾向でポイントを判定することが好ましい。
【００１１】
本発明のメタデータ構築システムにおいては、前記メタデータ作成手段は、前記ポイント判定手段により判定されたポイントが高い番組メタ情報を優先して用いて前記番組メタデータを作成することが好ましい。
【００１２】
本発明のメタデータ構築システムにおいては、前記番組メタ情報は、内容の一つとして番組中における番組内容の切り替え時刻を含む情報であり、前記メタデータ構築サーバは、前記複数の番組メタ情報の番組内容の切り替え時刻に基づいて基準時刻を算出し、当該基準時刻と番組メタ情報の番組内容の切り替え時刻との差分に基づいて当該番組メタ情報の送信元としての端末装置に対する時間オフセットを算出し、当該時間オフセットに基づいて当該端末装置から送信された番組メタ情報の番組内容の切り替え時刻を補正する補正手段を具備することが好ましい。
【００１３】
本発明のメタデータ構築システムにおいては、前記メタデータ構築サーバは、作成した番組メタデータを前記端末装置に配信する配信手段を具備し、前記管理手段は、前記ユーザの端末装置に対して番組メタデータを配信したときに、前記ポイントを減算することが好ましい。
【００１４】
本発明のメタデータ構築サーバは、複数の端末装置から送信された、番組中の各番組内容に関する番組メタ情報を受信して記憶する記憶手段と、番組メタ情報の内容に基づいて当該番組メタ情報の送信に対するポイントを判定するポイント判定手段と、前記ポイント判定手段により求められたポイントを前記端末装置のユーザ毎に管理する管理手段と、前記番組メタ情報に基づいて前記各番組内容に対する番組メタデータを作成するメタデータ作成手段と、を具備することを特徴とする。
【００１５】
本発明のメタデータ構築方法は、メタデータ配信サーバにおいて、複数の端末装置から送信された番組メタ情報の内容に基づいて当該番組メタ情報の送信に対するポイントを判定する工程と、前記ポイント判定により求められたポイントを前記端末装置のユーザ毎に管理する工程と、前記番組メタ情報に基づいて前記各番組内容に対する番組メタデータを作成する工程と、を具備することを特徴とする。
【００１６】
この方法によれば、番組メタデータを活用する契約者が、テレビ番組を見ながら簡単な操作で番組メタデータの構築に参加することができ、ポイント制の導入により、契約者に自ら進んで番組メタ情報を提供させることができる。これにより、多数の視聴者から広く番組メタ情報を収集することができ、精度の高いメタデータをテレビ番組の視聴後に迅速に構築することができる。
【００１７】
本発明のメタデータ構築方法においては、前記ポイント判定においては、複数の端末装置から送信された複数の番組メタ情報の内容を分析し、前記番組メタ情報の送信に対して、同一又は類似の内容を含む番組メタ情報が多いほどポイントが高くなる傾向でポイントを判定することが好ましい。
【００１８】
本発明のメタデータ構築方法においては、前記番組メタ情報は、内容の一つとして番組中における番組内容の切り替え時刻を含む情報であり、前記ポイント判定においては、前記複数の番組メタ情報の番組内容の切り替え時刻の代表値を算出し、前記番組メタ情報の送信に対して、番組内容の切り替え時刻が当該代表値に近いほどポイントが高くなる傾向でポイントを判定することが好ましい。
【００１９】
本発明のメタデータ構築方法においては、前記番組メタ情報は、内容の一つとして番組内容に関連するキーワードを含む情報であり、前記ポイント判定においては、前記複数の番組メタ情報のキーワードを分析し、前記番組メタ情報の送信に対して、同一又は類似のキーワードを含む番組メタ情報が多いほどポイントが高くなる傾向でポイントを判定することが好ましい。
【００２０】
本発明のメタデータ構築方法においては、複数の端末装置から送信された番組メタ情報を受信する際に、同一の番組内容に対して前記複数の端末装置から送信された番組メタ情報の各々について受付順序を記憶し、前記ポイント判定において、前記番組メタ情報の送信に対して、前記受付順序が早いほどポイントが高くなる傾向でポイントを判定することが好ましい。
【００２１】
本発明のメタデータ構築方法においては、前記メタデータ作成においては、前記ポイント判定により判定されたポイントが高い番組メタ情報を優先して用いて前記番組メタデータを作成することが好ましい。
【００２２】
本発明のメタデータ構築方法においては、前記番組メタ情報は、内容の一つとして番組中における番組内容の切り替え時刻を含む情報であり、前記メタデータ構築サーバは、前記複数の番組メタ情報の番組内容の切り替え時刻に基づいて基準時刻を算出し、当該基準時刻と番組メタ情報の番組内容の切り替え時刻との差分に基づいて当該番組メタ情報の送信元としての端末装置に対する時間オフセットを算出し、当該時間オフセットに基づいて当該端末装置から送信された番組メタ情報の番組内容の切り替え時刻を補正することが好ましい。
【００２３】
本発明のメタデータ構築方法においては、前記メタデータ構築サーバが作成した番組メタデータを前記端末装置に配信する工程を具備し、前記ユーザの端末装置に対して番組メタデータを配信したときに、前記ポイントを減算することが好ましい。
【発明の効果】
【００２４】
本発明によれば、メタデータ配信サーバにおいて、複数の端末装置から送信された番組メタ情報の内容に基づいて当該番組メタ情報の送信に対するポイントを判定し、前記ポイント判定により求められたポイントを前記端末装置のユーザ毎に管理し、前記番組メタ情報に基づいて前記各番組内容に対する番組メタデータを作成するので、多数の視聴者から広くメタ情報を収集することができ、精度の高いメタデータをテレビ番組の視聴後に迅速に構築することができる。
【発明を実施するための最良の形態】
【００２５】
以下、本発明の実施の形態について、添付図面を参照して詳細に説明する。本実施の形態においては、番組メタ情報を送信する端末装置が携帯端末装置である場合について説明する。なお、本発明においては、端末装置が携帯端末装置以外の固定端末装置であっても良い。
【００２６】
図１は、本発明の実施の形態に係るメタデータ構築システムを示す図である。図１に示すシステムは、携帯端末１と、携帯端末１と移動通信網２を介して接続された移動通信センタ３と、移動通信センタ３とインターネット４のようなネットワークを介して接続されたメタデータ配信サーバ５及び自宅ＰＣ６とから主に構成されている。
【００２７】
携帯端末１は、オペレーティングシステム（移動機ＯＳ）を有しており、移動機ＯＳ上でブラウザ機能、ビューワ機能、ＪＡＭ（Java（登録商標） Application Manager）その他の機能が動作する。また、携帯端末１は、通常の電話機能及びメール機能を備えている。
【００２８】
移動通信センタ３は、例えばｉモード（登録商標）サーバであり、移動通信網２とインターネット４とを結ぶゲートウェイ機能を担っており、具体的には、情報配信機能、メール送受信機能、メール蓄積機能、契約顧客管理機能、情報提供者管理機能、及び情報料課金機能を有する。
【００２９】
メタデータ配信サーバ５は、携帯端末１から送られた番組メタ情報から作成したテレビ番組の番組メタデータを自宅ＰＣ６に配信するサーバである。ここで、テレビ番組のメタデータとは、テレビ番組のデータを効率的に管理したり検索したりするために重要な情報であり、番組名、放送日、放送時間、番組の内容の区切りの情報、テレビ番組に関する出演者情報、並びに内容の区切り毎の概要、キーワードを含む。
【００３０】
自宅ＰＣ６は、テレビ番組を録画する録画装置であると共に、通常のパーソナルコンピュータの機能を備えている。なお、本実施の形態においては、録画装置が自宅ＰＣ６である場合について説明しているが、本発明においては、録画装置が、ハードディスクレコーダのように、テレビ番組を録画する機能を有する装置であっても良い。
【００３１】
図２は、図１に示すシステムにおける携帯端末の概略構成を示すブロック図である。なお、図２に示す構成は、本発明を説明するために簡略化したものであり、通常の携帯端末に搭載される構成要素は備えているものとする。
【００３２】
携帯端末１は、装置全体を制御する制御部１１と、移動通信センタ３との間で移動通信網２を介して無線通信を行う通信制御部１２と、種々のデータを入力する入力部１３と、種々のデータを表示する表示部１４と、装置に搭載され、あるいはダウンロードされた種々のアプリケーションを起動するアプリ制御部１５とから主に構成されている。
【００３３】
通信制御部１２は、移動通信網２及びインターネット４を介してメタデータ配信サーバ５に番組メタデータを作成するための各番組内容に関する番組メタ情報を送信する。その他、通信制御部１２は、移動通信網を介して他の携帯端末との間で通話やメール送受信を行う。
【００３４】
アプリ制御部１５は、装置に搭載され、あるいはダウンロードされた番組メタ情報収集アプリケーションを起動させる。番組メタ情報収集アプリケーションは、携帯端末１がメタデータ配信サーバ５に対して番組メタ情報をアップロードするアプリケーションである。
【００３５】
図３は、図１に示すシステムにおけるメタデータ配信サーバの概略構成を示すブロック図である。メタデータ配信サーバ５は、装置全体を制御する制御部５１と、インターネット４及び移動通信網２を介して携帯端末１と無線通信を行う通信制御部５２と、番組メタ情報の内容に基づいて当該番組メタ情報の送信に対するポイントを契約者（ユーザ）毎に管理する管理部５３と、複数の携帯端末１から送信された番組メタ情報の内容に基づいて当該番組メタ情報の送信に対するポイントを判定するポイント判定部５４と、携帯端末１における時間オフセットを補正する補正部５５と、番組メタ情報に基づいて各番組内容に対する番組メタデータを作成するメタデータ作成部５６と、装置に搭載され、あるいはダウンロードされた種々のアプリケーションを起動するアプリ制御部５７とから主に構成されている。
【００３６】
通信制御部５２は、移動通信網２及びインターネット４を介して携帯端末１から番組メタ情報を受信する。また、通信制御部５２は、インターネット４を介して自宅ＰＣ６に対して番組メタデータを送信する。
【００３７】
管理部５３は、番組メタ情報の送信に対するポイントを契約者毎に管理する。例えば、管理部５３は、図４に示すようなポイント管理テーブルを有しており、ユーザ毎にポイントと、メタデータを無料でダウンロードできる番組数とが関連付けられている。なお、ポイント管理テーブルで管理する項目についてはこれに限定されず適宜変更することができる。ここで契約者とは、本サービスの提供を受けるために契約や登録が行われたユーザをいう。
【００３８】
また、管理部５３は、契約者に対して番組メタデータを配信したときに、ポイントを減算する。したがって、番組メタデータを契約者がダウンロードしたときに、管理部５３で管理されているポイントが減算される。例えば、図４に示すポイント管理テーブルでは、１番組＝１０ポイントでサービス提供されているので、ユーザが１番組の番組メタデータをダウンロードすると、１０ポイント減算される。このため、メタデータ配信サーバでは、番組メタデータをユーザに配信した後にポイント管理テーブルのポイントを更新する。
【００３９】
ポイント判定部５４は、複数の携帯端末１からから送信された番組メタ情報の内容に基づいて番組メタ情報の送信に対するポイントを判定する。また、ポイント判定部５４は、得られたポイントに関するポイント情報を作成する。ユーザが番組メタ情報として携帯端末１に入力する情報は、所定のルールにしたがってポイント化される。そして、番組メタ情報は、ポイント化されて図９に示す得点表としてまとめられる。なお、番組メタ情報をポイント化する所定のルールは特に制限されない。また、ポイント情報としては、得点表に限定されず、番組メタ情報とポイントとが関連付けられていれば他の形態であっても良い。
【００４０】
ポイント判定部５４は、複数の端末装置から送信された複数の番組メタ情報の内容を分析し、番組メタ情報の送信に対して、同一又は類似の内容を含む番組メタ情報が多いほどポイントが高くなる傾向でポイントを判定する。この場合において、番組メタ情報は、内容の一つとして番組内容に関連するキーワードを含む情報であり、複数の番組メタ情報のキーワードを分析し、番組メタ情報の送信に対して、同一又は類似のキーワードを含む番組メタ情報が多いほどポイントが高くなる傾向でポイントを判定する。
【００４１】
例えば、テレビ番組の内容のキーワードについて、視聴者Ａ〜Ｊから、図５に示すような入力があった場合、ポイント判定部５４は、それぞれのキーワードの頻度を自動的に計算で求めて、ポイントを判定する。このとき、集計処理として、限られた文字数で入力、単語の抽出、類語検索で類語化、単語の登録頻度の集計、１単語、１回のみのカウントのようなルールを採用する。また、評価基準（ルール）を以下のように設定する。
・最頻出語の上位１０単語について、順位順に１０点から１点の点数を付ける。
・類語検索上の同義語もポイントとする。図５に示す例では、「新しい」：１０点、発売（発表を含む）：９点、携帯電話（ケータイを含む）：８点、Ａ社：７点、製品：６点、・・・）
・入力内容の中で、ポイントのあるキーワードを加算し、各入力の得点とする。
・頻度の高い１０単語と入力内容の得点の高い内容の上位を番組メタ情報として採用する。
【００４２】
このような評価基準でポイント化すると、視聴者Ａ：３４点、視聴者Ｂ：２７点、視聴者Ｃ：２６点、視聴者Ｄ：１７点、視聴者Ｅ：１６点、視聴者Ｆ：１８点、視聴者Ｇ：３４点、視聴者Ｈ：１８点、視聴者Ｉ：１７点、視聴者Ｊ：１９点となる。また、演算部３３は、「新しい」、「発売」、「携帯電話」、「Ａ社」、「製品」を採用キーワードとして選択し、「Ａ社が、新しい携帯電話を発表した」を採用文章として作成する。
【００４３】
また、番組メタ情報は、内容の一つとして番組中における番組内容の切り替え時刻を含む情報であり、複数の番組メタ情報の番組内容の切り替え時刻の代表値（基準情報）を算出し、番組メタ情報の送信に対して、番組内容の切り替え時刻が当該代表値に近いほどポイントが高くなる傾向でポイントを判定する。
【００４４】
例えば、ＣＭの切り替わり時刻の番組メタ情報について、視聴者Ａ〜Ｊから図６に示すような入力があった場合を想定する。このとき、入力値の平均値を基準情報として、この平均値に近い値ほど高いポイントを付与する。具体的には、図６に示す場合においては、切り替わり時刻の平均値が１９：１５：０３２であるので、その平均値に近い順に高い評価ポイントが与えられる。図６に示す例では、±５秒以上のズレを０点とした場合、ポイント＝√（２５−（入力値−平均値）2）とした。したがって、図６に示す例では、視聴者Ｅ，Ｇ，Ｈ，Ｉに対してポイントが付与される。
【００４５】
また、ポイント判定部５４において、同一の番組内容に対して複数の携帯端末１から送信された番組メタ情報の各々について受付順序を記憶し、番組メタ情報の送信に対して、受付順序が早いほどポイントが高くなる傾向でポイントを判定するようにしても良い。
【００４６】
補正部５５は、携帯端末１における時間オフセットを必要に応じて補正する。番組メタ情報を入力する場合、必ずしも携帯端末１がネット接続されているとは限らず、携帯端末１の時計にズレが生じていることが考えられる。この場合、結果的に間違った番組メタ情報、例えば切り替わり時刻が送られることになる。すなわち、図７に示すように、ユーザの携帯端末１の時計がずれていると、番組における実際の区切りと異なる位置４１を内容の区切りとして送られてくることになる。
【００４７】
しかしながら、内容の区切りの位置が実際の区切りの位置と異なっていたとしても、内容区間の間隔は正しいので、統計的手法により補正は可能である。したがって、補正部５５では、統計的手法により時間オフセットを補正する。例えば、次のような統計的手法で補正を行う。
・一定間隔（例えば１０秒おき）での、区切り時刻を集計し、入力が多かった（例えば、参加者の５０％以上）セルには、内容の区切りが存在していたと見なし、そのセルに入力がある時刻を集計して平均値を求める。
・入力のあるセルのそれぞれのセル毎の平均値と、個々の参加者の入力値との差分をセル毎に求める。
・セル毎の差分の平均値をオフセット値とし、参加者全員の入力値について、それぞれオフセット値を求める。
・各参加者の入力値をオフセット値で補正したものを補正後の登録値として、再度、入力のあるセル毎の平均値を求め、それをメタデータの区切り時刻とすることにより、セル間隔内の携帯端末１の時計のズレを補正する。
【００４８】
また、図８に示すように、入力のあるセル内にＣＭなどの内容区切りが明確な部分４２が含まれている場合には、次のような方法で補正することもできる。
・一定間隔（例えば１０秒おき）での、区切り時刻を集計し、入力が多かった（例えば、参加者の５０％以上）のセルには、内容の区切りが存在していたと見なし、そのセルに登録してある時刻を集計して平均値を求める。
・入力のあるセル内にＣＭなどの内容区切りが明確な部分４２が含まれている場合、その切り替わり時刻をそのセルでの平均値に代わる基準時刻とし、各入力値との差分を算出し、参加者毎の差分の平均値を求める。
・セル毎の差分の平均値をオフセット値とし、参加者全員の入力値について、それぞれオフセット値を求める。
・各参加者の入力値をオフセット値で補正したものを補正後の入力値として、再度、入力のあるセル毎の平均値を求め、それをメタデータの区切り時刻とすることにより、セル間隔内の携帯端末１の時計のズレを補正する。
【００４９】
したがって、補正部５５は、内容の一つとして番組中における番組内容の切り替え時刻を含む番組メタ情報を用いて、複数の番組メタ情報の番組内容の切り替え時刻に基づいて基準時刻を算出し、当該基準時刻と番組メタ情報の番組内容の切り替え時刻との差分に基づいて当該番組メタ情報の送信元としての携帯端末１に対する時間オフセットを算出し、当該時間オフセットに基づいて当該携帯端末１から送信された番組メタ情報の番組内容の切り替え時刻を補正する。
【００５０】
メタデータ作成部５６は、番組メタ情報に基づいて各番組内容に対する番組メタデータを作成する。メタデータ作成部５６においては、上述したように、ポイント判定部５４により判定されたポイントが高い番組メタ情報を優先して用いて番組メタデータを作成することが好ましい。
【００５１】
アプリ制御部５７は、装置に搭載され、あるいはダウンロードされた番組メタ情報収集アプリケーションを起動させる。番組メタ情報収集アプリケーションは、携帯端末１から番組メタ情報を収集するアプリケーションである。
【００５２】
このようにして、複数の携帯端末１からアップロードされた番組メタ情報は、メタデータ配信サーバ５において、ポイント化され、必要に応じて時間オフセットの補正がなされて、図９に示すような得点表として管理部５３で管理・集計される。そして、契約者は、自身が番組メタ情報収集に参加して獲得したポイントを使って番組メタデータをダウンロードする。
【００５３】
このようなシステムにより、番組メタデータを活用する契約者が、テレビ番組を見ながら簡単な操作で番組メタデータの構築に参加することができる。また、ポイント制の導入により、契約者に自ら進んで番組メタ情報を提供させることができる。これにより、多数の視聴者から広く番組メタ情報を収集することができ、精度の高いメタデータをテレビ番組の視聴後に迅速に構築することができる。
【００５４】
次に、上記構成を有するメタデータ構築システムによるメタデータ構築方法について説明する。図１０は、本発明の実施の形態に係るメタデータ構築方法を説明するためのシーケンス図である。
【００５５】
このメタデータ構築方法においては、テレビ番組を視聴したユーザが携帯端末１で番組メタ情報をメタデータ配信サーバ５にアップロードする（ＳＴ１１）。この場合、携帯端末１のアプリ制御部１５で番組メタ情報収集アプリケーションを起動して、通信制御部１２を介してメタデータ配信サーバ５に番組メタ情報を送信する。次いで、メタデータ配信サーバ５において、複数の携帯端末１から送信された番組メタ情報をポイント判定部５４でポイント化する（ＳＴ１２）。また、メタデータ配信サーバ５においては、ポイント判定部５４でポイント化されたポイントを管理部５３で管理する（ＳＴ１３）。例えば、管理部５３は、ポイント管理テーブルを更新する。さらに、メタデータ配信サーバ５においては、情報収集した番組メタ情報を用いて番組メタデータを作成する。
【００５６】
契約者のユーザが自宅ＰＣ６から番組メタデータをメタデータ配信サーバ５に要求すると（ＳＴ１４）、メタデータ配信サーバ５から番組メタデータがダウンロードされる（ＳＴ１５）。この場合、メタデータ配信サーバ５のアプリ制御部５７で番組メタ情報収集アプリケーションを起動して、通信制御部５２を介して自宅ＰＣ６に番組メタデータを送信する。このとき、メタデータ配信サーバ５の管理部５３は、番組メタデータをダウンロードしたユーザのポイントを減算してポイント管理テーブルを更新する（ＳＴ１６）。
【００５７】
本発明は上記実施の形態に限定されず、種々変更して実施することが可能である。例えば、上記実施の形態におけるポイント化の方法や補正の方法については、一例であり、番組メタ情報をポイント化し、必要に応じて時間オフセット補正を行うことができれば、他の方法を用いても良い。また、上記実施の形態における数値、管理項目などについては、特に限定されず、適宜変更することができる。また、本発明の範囲を逸脱しない限りにおいて、処理部や処理手順については適宜変更して実施することが可能である。その他、本発明の範囲を逸脱しないで適宜変更して実施することが可能である。
【図面の簡単な説明】
【００５８】
【図１】本発明の実施の形態に係るメタデータ構築システムを示す図である。
【図２】図１に示すシステムにおける携帯端末の概略構成を示すブロック図である。
【図３】図１に示すシステムにおけるメタデータ配信サーバの概略構成を示すブロック図である。
【図４】メタデータ配信サーバにおけるポイント管理テーブルを示す図である。
【図５】メタデータ配信サーバの演算部におけるポイント化の例を示す図である。
【図６】メタデータ配信サーバの演算部におけるポイント化の例を示す図である。
【図７】メタデータ配信サーバの補正部における補正の例を示す図である。
【図８】メタデータ配信サーバの補正部における補正の例を示す図である。
【図９】メタデータ配信サーバにおける得点表を示す図である。
【図１０】本発明の実施の形態に係るメタデータ構築方法を説明するためのシーケンス図である。
【符号の説明】
【００５９】
１  携帯端末
２  移動通信網
３  移動通信センタ
４  インターネット
５  メタデータ配信サーバ
６  自宅ＰＣ
１１，５１  制御部
１２，５２  通信制御部
１３  入力部
１４  表示部
１５，５７  アプリ制御部
５３  管理部
５４  ポイント判定部
５５  補正部
５６  メタデータ作成部
【図１】
2008270853.tif 000003
【図２】
2008270853.tif 000004
【図３】
2008270853.tif 000005
【図４】
2008270853.tif 000006
【図５】
2008270853.tif 000007
【図６】
2008270853.tif 000008
【図７】
2008270853.tif 000009
【図８】
2008270853.tif 000010
【図９】
2008270853.tif 000011
【図１０】
2008270853.tif 000012